(57)【要約】【課題】表裏２面の表示ケースのでありながら、表裏どちらの表示面を選択しても容易な作業によって、表裏の表示面を同様に水平面にたいし、上方向に角度を持たせることができる両面表示ケースを提供することにある。【解決手段】本発明の振り子脚部付き両面表示ケースは、収納ケース部と二ヶ所の脚部を備え、該収納ケース部の下部両端には着脱自在の脚部を係合し、該脚部は収納ケースと係合後二つのポジションまたは二つ以上のポジションにて傾き角度を変更できる機能を有した事を最も主要な特徴とする。【選択図】図１８
2008253484.tif 000002
【特許請求の範囲】
【請求項１】
カレンダーや写真を表示する両面表示ケースにおいて、収納ケース部と二ヶ所の脚部を備え、該収納ケース部の下部両端には着脱自在の脚部を係合し、該脚部は収納ケースと係合後二つのポジションにて傾き角度を変更できる機能を有した事を特徴とする振り子脚部付き両面表示ケース。
【請求項２】
前記振り子脚部付き両面表示ケースにおいて、収納ケース部には凹凸部またはローレット部を備え、脚部にも凹凸部またはローレット部を備え、該収納ケース部と該脚部を係合後、該収納ケース部の凹凸部またはローレット部と、該脚部の凹凸部またはローレット部によって、該収納ケース部と該脚部の角度が二つ以上のポジションにて傾き角度を変更できる機能を有した事を特徴とする請求項１に記載の振り子脚部付き両面表示ケース。
【請求項３】
前記振り子脚部付き両面表示ケースの脚部１個に対し、前後２ヶ所にクリップ部材を着脱自在に係合した事を特徴とする請求項１または請求項２に記載の振り子脚部付き両面表示ケース。
【請求項４】
前記振り子脚部付両面表示ケースの主たる材料が、ポリ乳酸などの生分解性材料にて形成されたことを特徴とする請求項１から請求項３に記載の振り子脚部付き両面表示ケース。
【発明の詳細な説明】
【技術分野】
【０００１】
本発明は、片面にカレンダー、もう片面に写真などというように、表裏２面に表示物を表示する一般プラスチックおよび生分解性プラスチック製ケースにおいて、表示ケースの角度を選択変更可能な表示ケースに関するものである。
【背景技術】
【０００２】
従来、カレンダーや写真を表示する表示ケースは、数多く提案されている。本発明者もいくつかの提案を行っている。表示ケース（特願２００６−２４９５１２号）、モニタに着脱自在な保持具（特願２００６−２６１６０５号）。
【０００３】
また、通常表示ケースの表示面は、水平面に対し、５度から１５度の角度を持たせる場合が多い。通常の表示ケースの表面にカレンダー、裏面に写真を入れた場合において、表面が水平面に対し１０度程度上を向いている場合、表示ケースにカレンダー及び写真を収納したまま、表示ケースの裏面を前にした場合、裏面は、水平面に対し、１０度程度下を向く事になる。
【特許文献１】特願２００６−２４９５１２号
【特許文献１】特願２００６−２６１６０５号
【発明の開示】
【発明が解決しようとする課題】
【０００４】
本発明は、表裏２面の表示ケースでありながら、表裏どちらの表示面を選択しても容易な作業によって、表裏の表示面を同様に水平面にたいし、上方向に角度を持たせることができる両面表示ケースを提供することにある。
【課題を解決するための手段】
【０００５】
上記目的を達成するため本発明の振り子脚部付き両面表示ケースは、収納ケース部と二ヶ所の脚部を備え、該収納ケース部の下部両端には着脱自在の脚部を係合し、該脚部は収納ケースと係合後二つのポジション、または二つ以上のポジションにて傾き角度を変更できる機能を有した事を最も主要な特徴とする。
【発明の効果】
【０００６】
本発明の振り子脚部付き両面表示ケースは、表裏２面の表示ケースでありながら、表裏どちらの表示面を選択しても容易な作業によって、表裏の表示面を同様に水平面にたいし、上方向に角度を持たせることができる。二つのポジションを設定の場合、外力からの安定した保持が可能である。また、二つ以上のポジションの場合は、好みの角度表示が可能である。
【発明を実施するための最良の形態】
【０００７】
収納ケース部と二ヶ所の脚部を備え、該収納ケース部の下部両端には着脱自在の脚部を係合し、該脚部は収納ケースと係合後二つのポジション、または二つ以上のポジションにて傾き角度を変更できる機能を有する。また、パソコン上に設置する場合は、該脚部１個に対し、前後２ヶ所にクリップ部材を着脱自在に係合する。
【実施例１】
【０００８】
本発明の実施形態について詳しく説明する。本実施例で説明する形状は、これを限定する物ではない。図１は、本発明の振り子脚部付き両面表示ケースの正面方向からの斜視図である。図２は、振り子脚部付き両面表示ケースの背面方向からの斜視図である。１は振り子脚を示し、２は収納ケースである。透明材料にて形成した収納ケース２の片面にカレンダー、もう片面に写真などというように、表裏２面に表示物を表示することができる。
【０００９】
図３は、振り子脚の正面図であり、図４は、振り子脚の斜視図である。振り子脚１は、収納ケース係り部３と傾き角度調整当て部４を２ヶ所と傾き角度調整突起部５を配している。振り子脚１に２ヶ所の傾き角度調整当て部４を設けることにより、収納ケースを二つのポジションにて傾き角度を変更できるようにした。
【００１０】
図５は、図２に対し反対側の傾き角度調整当て部４側に収納ケースを傾けた状態の斜視図である。
【００１１】
図６は、収納ケースの正面方向からの斜視図であり、図７は、収納ケースの背面方向からの斜視図である。収納ケース２は、振り子脚係り部６を２ヶ所配している。
【００１２】
図８は、本発明の振り子脚部付き両面表示ケースの正面方向からの斜視図であり、図９は、振り子脚部付き両面表示ケースの背面方向からの斜視図である。また図１０は、傾き角度調整ローレット部を配している振り子脚の斜視図である。図１、図２とは異なり、振り子脚１は、収納ケース係り部３と傾き角度調整当て部４を２ヶ所と傾き角度調整突起部５の代わりに二つ以上のポジションにて傾き角度を変更できる傾き角度調整ローレット部１４を配している。
【００１３】
図１１は、収納ケースの右側面方向からの斜視図であり、図１２は、収納ケースの底面図である。収納ケース２は、傾き角度調整ローレット当て部１５を配している。収納ケース２の傾き角度調整ローレット当て部１５と振り子脚１の二つ以上のポジションにて傾き角度を変更できる傾き角度調整ローレット部１４が係合し、二つ以上のポジションにて表示ケースを保持することができる。
【００１４】
図１３は、振り子脚１の底面方向からの斜視図であり、図１４では、振り子脚１の底面図である。振り子脚１は、ローレット部７とスライド溝８とクリップ部材挿入部９をそれぞれ２ヶ所配している。
【００１５】
図１５は、クリップ部材１０の斜視図である。クリップ部材１０は、ローレット当て部１１と当て面１２を配している。
【００１６】
図１６は、振り子脚１にクリップ部材１０を前後２ヶ所に係合した状態の上面方向からの斜視図であり、図１７は、振り子脚１にクリップ部材１０を前後２ヶ所に係合した状態の底面方向からの斜視図である。クリップ部材１０をスライド溝８内にて動かすことにより、振り子脚１のローレット部７数ヶ所の位置にて係止することができる。上記の機能により、前後２ヶ所のクリップ部材１０の当て面１２間厚み距離を自在に変える事ができる。
【００１７】
図１８は、振り子脚部付き両面表示ケースにクリップ部材１０を前後２ヶ所に係合した状態の正面方向からの斜視図であり、図１９は、モニター１３にクリップ部材１０が係合した状態の正面方向からの斜視図である。
【００１８】
ここで説明した振り子脚部付き両面表示ケースはプラスチック材料を射出成形して得るが、成形材料にポリ乳酸などの生分解性材料を使用する事により、振り子脚部付き両面表示ケースの廃棄時に地球にやさしい製品とすることができる。
【産業上の利用可能性】
【００１９】
本発明の振り子脚部付き両面表示ケースは、収納ケース部と二ヶ所の脚部を備え、該収納ケース部の下部両端には着脱自在の脚部を係合し、該脚部は収納ケースと係合後二つのポジションにて傾き角度を変更できる機能を有した振り子脚部付き両面表示ケースに利用できる。
【図面の簡単な説明】
【００２０】
【図１】本発明の振り子脚部付き両面表示ケースの正面方向からの斜視図である。
【図２】振り子脚部付き両面表示ケースの背面方向からの斜視図である。
【図３】振り子脚の正面図である。
【図４】振り子脚の斜視図である。
【図５】図２に対し反対側の傾き角度調整当て部４側に収納ケースを傾けた状態の斜視図である。
【図６】収納ケースの正面方向からの斜視図である。
【図７】収納ケースの背面方向からの斜視図である。
【図８】傾き角度調整ローレット部を配する振り子脚部付き両面表示ケースの正面方向からの斜視図である。
【図９】傾き角度調整ローレット部を配する振り子脚部付き両面表示ケースの背面方向からの斜視図である。
【図１０】傾き角度調整ローレット部を配している振り子脚の斜視図である。
【図１１】傾き角度調整ローレット当て部を配している収納ケースの右側面方向からの斜視図である。
【図１２】傾き角度調整ローレット当て部を配している収納ケースの底面図である。
【図１３】振り子脚１の底面方向からの斜視図である。
【図１４】振り子脚１の底面図である。
【図１５】クリップ部材１０の斜視図である。
【図１６】振り子脚１にクリップ部材１０を前後２ヶ所に係合した状態の上面方向からの斜視図である。
【図１７】振り子脚１にクリップ部材１０を前後２ヶ所に係合した状態の底面方向からの斜視図である。
【図１８】振り子脚部付き両面表示ケースにクリップ部材１０を前後２ヶ所に係合した状態の正面方向からの斜視図である。
【図１９】モニター１３にクリップ部材１０が係合した状態の正面方向からの斜視図である。
【符号の説明】
【００２１】
１    振り子脚
２    収納ケース
３    収納ケース係り部
４    傾き角度調整当て部
５    傾き角度調整突起部
６    振り子脚係り部
７    ローレット部
８    スライド溝
９    クリップ部材挿入部
１０  クリップ部材
１１  ローレット当て部
１２  当て面
１３  モニター
１４  傾き角度調整ローレット部
１５  傾き角度調整ローレット当て部
【図１】
2008253484.tif 000003
【図２】
2008253484.tif 000004
【図３】
2008253484.tif 000005
【図４】
2008253484.tif 000006
【図５】
2008253484.tif 000007
【図６】
2008253484.tif 000008
【図７】
2008253484.tif 000009
【図８】
2008253484.tif 000010
【図９】
2008253484.tif 000011
【図１０】
2008253484.tif 000012
【図１１】
2008253484.tif 000013
【図１２】
2008253484.tif 000014
【図１３】
2008253484.tif 000015
【図１４】
2008253484.tif 000016
【図１５】
2008253484.tif 000017
【図１６】
2008253484.tif 000018
【図１７】
2008253484.tif 000019
【図１８】
2008253484.tif 000020
【図１９】
2008253484.tif 000021